(57)【要約】【課題】システムから出力される光信号のレベルを容易に安定させ、且つシステムの立ち上げ時間を短縮する。【解決手段】多段に接続された光増幅器１０５にて、光増幅器１０５の前段に接続された伝送機器から出力された光信号の入力レベルが予め設定されたレベルを超えた場合、定常制御よりも制御速度の速い高速制御が行われ、光増幅器１０５の前段に接続された伝送機器から出力された光信号から該光信号の安定を示す出力制御完了フラグがフラグ抽出部１５３にて抽出された後、選択部１５４にて高速制御から定常制御へ切り替えられ、光増幅器１０５から出力される光信号の出力レベルが光出力測定部１５６にて測定された出力レベルが目標レベル値に達したと判断された場合、光増幅器１０５の後段に接続された伝送機器へ出力制御完了フラグがフラグ挿入部１５７から出力される。【選択図】図２
2008205909.tif 000002
【特許請求の範囲】
【請求項１】
複数の伝送機器が多段に接続されて構成された伝送システムであって、
前記伝送機器は、当該伝送機器の前段に接続された前段伝送機器から出力された光信号の入力レベルを測定し、該入力レベルが予め設定されたレベルを超えた場合、定常制御よりも制御速度の速い高速制御を行い、前記前段伝送機器から出力された光信号から該光信号の安定を示す出力制御完了フラグを抽出し、前記出力制御完了フラグを抽出した後、前記高速制御から前記定常制御へ切り替え、当該伝送機器から出力される光信号の出力レベルを測定し、前記出力レベルが前記目標レベル値に達したと判断した場合、当該伝送機器の後段に接続された伝送機器へ出力制御完了フラグを出力する伝送システム。
【請求項２】
請求項１に記載の伝送システムにおいて、
前記伝送機器は、
前記前段伝送機器から出力された光信号の入力レベルを測定し、該入力レベルが予め設定されたレベルを超えているかどうかを判断するレベル比較部と、
前記前段伝送機器から出力された光信号から該光信号の安定を示す出力制御完了フラグを抽出するフラグ抽出部と、
前記レベル比較部にて前記入力レベルが予め設定されたレベルを超えていると判断された場合、前記高速制御を選択し、その後、前記フラグ抽出部にて前記出力制御完了フラグを抽出した後、前記高速制御から前記定常制御へ切り替える選択部と、
当該伝送機器から出力される光信号の出力レベルを測定し、該測定された出力レベルが予め設定された目標レベル値に達しているかどうかを判断する光出力測定部と、
前記光出力測定部にて前記出力レベルが前記目標レベル値に達したと判断した場合、当該伝送機器の後段に接続された伝送機器へ出力制御完了フラグを出力するフラグ挿入部とを有することを特徴とする伝送システム。
【請求項３】
請求項１または請求項２に記載の伝送システムにおいて、
前記伝送機器は、前記出力制御完了フラグを抽出した後、前記光信号の異常検出を行うことを特徴とする伝送システム。
【請求項４】
複数の伝送機器が多段に接続されて構成された伝送システムにおけるシステム起動方法であって、
前記伝送機器が、当該伝送機器の前段に接続された前段伝送機器から出力された光信号の入力レベルを測定する処理と、
前記伝送機器が、該入力レベルが予め設定されたレベルを超えているかどうかを判断する処理と、
前記伝送機器が、該入力レベルが予め設定されたレベルを超えた場合、定常制御よりも制御速度の速い高速制御を行う処理と、
前記伝送機器が、前記前段伝送機器から出力された光信号から該光信号の安定を示す出力制御完了フラグを抽出する処理と、
前記伝送機器が、前記出力制御完了フラグを抽出した後、前記高速制御から前記定常制御へ切り替える処理と、
前記伝送機器が、前記出力制御完了フラグを抽出した後、当該伝送機器から出力される光信号の出力レベルを測定する処理と、
前記伝送機器が、該測定された出力レベルが予め設定された目標レベル値に達しているかどうかを判断する処理と、
前記伝送機器が、前記出力レベルが前記目標レベル値に達したと判断した場合、当該伝送機器の後段に接続された伝送機器へ出力制御完了フラグを出力する処理とを有するシステム起動方法。
【請求項５】
請求項４に記載のシステム起動方法において、
前記伝送機器が、前記出力制御完了フラグを抽出した後、前記光信号の異常検出を行う処理を有することを特徴とするシステム起動方法。
【発明の詳細な説明】
【技術分野】
【０００１】
本発明は、信号を伝送する伝送システム及び当該伝送システムを起動するシステム起動方法に関し、特に光信号を伝送する伝送システム及び当該伝送システムを起動するシステム起動方法に関する。
【背景技術】
【０００２】
信号を伝送するために構成された伝送システムにおいては、複数の機器が直列または並列に接続されているものが一般的である。この複数の機器の性能は、互いに異なるものである場合が多く、それらが起動し始めてから当該機器から出力される光信号の出力レベルが所定の目標レベル値に到達するまでの時間（以下、立ち上げ時間と称する）が、それぞれに内蔵されたデバイスの応答特性に起因して一様ではない。
【０００３】
一般的に伝送システムに適用される機器においては、シャットダウンからの信号導通時に少しでも早く目標の出力レベルとなるように、立ち上げ時間において、通常制御時よりも高速な出力制御が実施される。そして、出力レベルが目標レベル値に到達した後（立ち上げ時間後）は、低速な出力制御に切り替えられて通常動作に移る。
【０００４】
図６は、従来の伝送システムの一例を示す図である。
【０００５】
図６に示した従来の伝送システムは、機器９０１と機器９０２とが直列に接続されている。機器９０１，９０２は、光信号を伝送するための伝送機器であり、機器９０１（上流側）から出力された光信号が後段の機器９０２（下流側）に入力されるものである。
【０００６】
ここで、機器９０２の立ち上げ時間が機器９０１の立ち上げ時間よりも長い場合、以下に示す２つの問題点が生じる虞がある。
【０００７】
（１）機器９０１から出力される光信号の出力レベルは出力目標レベル値となるまで変化し続け、その結果機器９０２に入力される光信号の入力レベルも変動する。このとき、機器９０２では入力レベルの変動を抑えることができない。その結果、機器９０２に、不要な出力レベル変動が生じてしまう。機器９０２の下流に他の機器が接続されている場合は、その変動が下流に伝播してしまうと、下流にいくほど、光レベルが不安定となってしまう。このため、接続されるノード数が増えれば増えるほど出力レベルが目標レベル値に収束する時間が長くなってしまう。
【０００８】
（２）機器９０１から出力される光信号出力レベルが目標レベル値に達するまでの間は、機器９０２に入力される光信号の入力レベルは規格値よりも低いレベルである可能性がある。そのため、低レベルであるという警報が発出される虞がある。
【０００９】
そこで、自局よりも上流に設置された局の変動が完了するまでの間は、自局の制御を待機（停止）状態とする技術が考えられている（例えば、特許文献１参照。）。
【００１０】
また、誤った警報の通知を防ぐために、光スイッチが切り替え動作を開始した時点から所定の時間だけ警報をマスクする技術が考えられている（例えば、特許文献２参照。）。
【特許文献１】特開２００６−０３３５４２号公報
【特許文献２】特開２００３−２０９８６４号公報
【発明の開示】
【発明が解決しようとする課題】
【００１１】
しかしながら、特許文献１に記載された技術においては、自局の制御を待機（停止）状態にすることにより、システムの立ち上げ時間が長くなってしまうという問題点がある。
【００１２】
また、特許文献２に記載された技術においては、警報をマスクする信号を生成しなければならないという問題点がある。また、マスクする時間を予め設定しなければならないという問題点がある。
【００１３】
本発明は、上述したような従来の技術が有する問題点に鑑みてなされたものであって、システムから出力される光信号のレベルを容易に安定させ、且つシステムの立ち上げ時間を短縮することができる伝送システム及びシステム起動方法を提供することを目的とする。また、他の目的として、誤った警報の通知を防ぐことができる伝送システム及びシステム起動方法を提供することを目的とする。
【課題を解決するための手段】
【００１４】
上記目的を達成するために本発明は、
複数の伝送機器が多段に接続されて構成された伝送システムであって、
前記伝送機器は、当該伝送機器の前段に接続された前段伝送機器から出力された光信号の入力レベルを測定し、該入力レベルが予め設定されたレベルを超えた場合、定常制御よりも制御速度の速い高速制御を行い、前記前段伝送機器から出力された光信号から該光信号の安定を示す出力制御完了フラグを抽出し、前記出力制御完了フラグを抽出した後、前記高速制御から前記定常制御へ切り替え、当該伝送機器から出力される光信号の出力レベルを測定し、前記出力レベルが前記目標レベル値に達したと判断した場合、当該伝送機器の後段に接続された伝送機器へ出力制御完了フラグを出力する。
【００１５】
また、前記伝送機器は、
前記前段伝送機器から出力された光信号の入力レベルを測定し、該入力レベルが予め設定されたレベルを超えているかどうかを判断するレベル比較部と、
前記前段伝送機器から出力された光信号から該光信号の安定を示す出力制御完了フラグを抽出するフラグ抽出部と、
前記レベル比較部にて前記入力レベルが予め設定されたレベルを超えていると判断された場合、前記高速制御を選択し、その後、前記フラグ抽出部にて前記出力制御完了フラグを抽出した後、前記高速制御から前記定常制御へ切り替える選択部と、
当該伝送機器から出力される光信号の出力レベルを測定し、該測定された出力レベルが予め設定された目標レベル値に達しているかどうかを判断する光出力測定部と、
前記光出力測定部にて前記出力レベルが前記目標レベル値に達したと判断した場合、当該伝送機器の後段に接続された伝送機器へ出力制御完了フラグを出力するフラグ挿入部とを有することを特徴とする。
【００１６】
また、前記伝送機器は、前記出力制御完了フラグを抽出した後、前記光信号の異常検出を行うことを特徴とする。
【００１７】
また、複数の伝送機器が多段に接続されて構成された伝送システムにおけるシステム起動方法であって、
前記伝送機器が、当該伝送機器の前段に接続された前段伝送機器から出力された光信号の入力レベルを測定する処理と、
前記伝送機器が、該入力レベルが予め設定されたレベルを超えているかどうかを判断する処理と、
前記伝送機器が、該入力レベルが予め設定されたレベルを超えた場合、定常制御よりも制御速度の速い高速制御を行う処理と、
前記伝送機器が、前記前段伝送機器から出力された光信号から該光信号の安定を示す出力制御完了フラグを抽出する処理と、
前記伝送機器が、前記出力制御完了フラグを抽出した後、前記高速制御から前記定常制御へ切り替える処理と、
前記伝送機器が、前記出力制御完了フラグを抽出した後、当該伝送機器から出力される光信号の出力レベルを測定する処理と、
前記伝送機器が、該測定された出力レベルが予め設定された目標レベル値に達しているかどうかを判断する処理と、
前記伝送機器が、前記出力レベルが前記目標レベル値に達したと判断した場合、当該伝送機器の後段に接続された伝送機器へ出力制御完了フラグを出力する処理とを有する。
【００１８】
また、前記伝送機器が、前記出力制御完了フラグを抽出した後、前記光信号の異常検出を行う処理を有することを特徴とする。
【００１９】
上記のように構成された本発明においては、多段に接続された伝送機器にて、当該伝送機器の前段に接続された前段伝送機器から出力された光信号の入力レベルが測定され、該入力レベルが予め設定されたレベルを超えた場合、定常制御よりも制御速度の速い高速制御が行われ、前段伝送機器から出力された光信号から該光信号の安定を示す出力制御完了フラグが抽出された後、前記高速制御から前記定常制御へ切り替え、当該伝送機器から出力される光信号の出力レベルが測定され、測定された出力レベルが目標レベル値に達したと判断された場合、当該伝送機器の後段に接続された伝送機器へ出力制御完了フラグが出力される。また、当該伝送機器の前段に接続された伝送機器から出力された光信号から該光信号の安定を示す出力制御完了フラグが抽出された後、光信号の異常検出が行われる。
【００２０】
これにより、シャットダウンから信号導通時での出力レベルの安定化（不要な出力レベルのふらつきの抑止）と、各機器が目的の出力となる時間を短縮化が図れる。さらに、信号導通時の正常に立ち上がり動作に対して、検出を意図しない警報の報告を防止することが可能となる。また、伝送システムの上流側の機器の制御速度が変更となっても、下流側の機器の制御速度や、警報マスク時間の変更が不要となる。
【発明の効果】
【００２１】
以上説明したように本発明においては、多段に接続された伝送機器にて、当該伝送機器の前段に接続された前段伝送機器から出力された光信号の入力レベルを測定し、該入力レベルが予め設定されたレベルを超えた場合、定常制御よりも制御速度の速い高速制御を行い、前段伝送機器から出力された光信号から該光信号の安定を示す出力制御完了フラグを抽出した後、前記高速制御から前記定常制御へ切り替え、当該伝送機器から出力される光信号の出力レベルを測定し、測定された出力レベルが目標レベル値に達したと判断した場合、当該伝送機器の後段に接続された伝送機器へ出力制御完了フラグを出力する構成としたため、システムから出力される光信号のレベルを容易に安定させ、且つシステムの立ち上げ時間を短縮することができる。また、当該伝送機器の前段に接続された伝送機器から出力された光信号から該光信号の安定を示す出力制御完了フラグを抽出した後、光信号の異常検出を行う構成としたため、誤った警報の通知を防ぐことができる。
【発明を実施するための最良の形態】
【００２２】
以下に、本発明の実施の形態について図面を参照して説明する。
（第１の実施の形態）
図１は、本発明の伝送システムの第１の実施の形態を示す図である。
【００２３】
本形態は図１に示すように、光増幅器１０３，１０５，１０７と、光可変減衰器（ＶＯＡ：Variable Optical Attenuator）１０４，１０６との各伝送機器から構成されている。また、光増幅器１０３と光可変減衰器１０４とが、伝送路１０１を介して接続されている。また、光増幅器１０５と光可変減衰器１０６とが、伝送路１０２を介して接続されている。
【００２４】
光増幅器１０３，１０５，１０７は、前段の機器から出力されて伝送路にて減衰された光信号を増幅し、後段の伝送路へ出力する。
【００２５】
光可変減衰器１０４，１０６は、伝送路ロスのばらつきを吸収し、光増幅器に入力される信号レベルが適正範囲となるようロスを増減する。
【００２６】
以下に、図１に示した光増幅器１０３，１０５，１０７及び光可変減衰器１０４，１０６の内部構成について説明する。ここでは、本発明の特徴となる部分のみを説明する。なお、本発明の特徴となる部分については、光増幅器１０３，１０５，１０７及び光可変減衰器１０４，１０６のいずれの内部構成とも同じものであるため、光増幅器１０５の内部構成を例に挙げて説明する。
【００２７】
図２は、図１に示した光増幅器１０５の内部構成の一例を示す図である。なお、上述したように図２には、本発明の特徴となる構成要素のみを示す。
【００２８】
図１に示した光増幅器１０５には図２に示すように、高速制御部１５１と、定常制御部１５２と、フラグ抽出部１５３と、選択部１５４と、光増幅／減衰部１５５と、光出力測定部１５６と、フラグ挿入部１５７と、レベル比較部１５８とが設けられている。
【００２９】
高速制御部１５１は、定常状態における制御（以下、定常制御と称する）よりも制御速度が高速である制御を行う。
【００３０】
定常制御部１５２は、定常の速度における定常制御を行う。
【００３１】
なお、高速制御部１５１及び定常制御部１５２は、例えば、利得一定制御のように、光増幅器１０５に入力された光信号の信号レベル変動に起因する利得変動を抑制するために利得を一定に保つ制御を行うものであっても良いし、出力一定制御のように、光増幅器１０５の総出力光パワーのレベルを一定に保つ制御を行うものであっても良い。また、利得一定制御は、ＥＤＦＡ（Erbium Doped Fiber Amplifiers：エルビウム添加ファイバアンプ）を用いるものが考えられる。
【００３２】
フラグ抽出部１５３は、前段機器（光増幅器１０５の場合は、前段機器は光可変減衰器１０４）から出力された光信号から出力制御完了フラグを抽出する。この出力制御完了フラグは、各機器にて出力される光信号の出力レベルが目標レベル値に達した場合に出力されるフラグである。出力制御完了フラグの信号形式については、１ビットで表すものであっても良いし、所定の信号形式を用いるものであってもかまわない。なお、出力制御完了フラグの後段機器への通知方法は、伝送路監視信号（ＳＶ光）に重畳する方式や、伝送信号光以外に、出力制御が完了したことを通知する信号を、伝送信号と合波して伝送する方法などが考えられる。
【００３３】
選択部１５４は、フラグ抽出部１５３によって出力制御完了フラグが抽出されたかどうかに基づいて、高速制御部１５１による制御と定常制御部１５２による制御とのいずれか１つを選択する。ここでは、フラグ抽出部１５３によって出力制御完了フラグが抽出されるまでは、高速制御部１５１による制御を選択し、また、フラグ抽出部１５３によって出力制御完了フラグが抽出された後は、定常制御部１５２の制御を選択する。
【００３４】
光増幅／減衰部１５５は、選択部１５４によって選択された制御に基づいて、前段機器から出力された光信号を増幅／減衰する。
【００３５】
光出力測定部１５６は、光増幅／減衰部１５５にて増幅／減衰された光信号の出力レベルを測定し、測定された出力レベルが予め設定された目標レベル値に達しているかどうかを判断する。
【００３６】
フラグ挿入部１５７は、光出力測定部１５６にて、出力される光信号の出力レベルが目標レベル値に達したと判断された場合、出力される光信号に出力制御完了フラグを挿入する。ここで出力制御完了フラグは上述したように、伝送路監視信号（ＳＶ光）に重畳さえるものであっても良いし、伝送信号光以外に、出力制御が完了したことを通知する信号を、伝送信号と合波して伝送するものであっても良い。
【００３７】
レベル比較部１５８は、光増幅器１０５の前段に接続された伝送機器である光可変減衰器１０４から出力された光信号が入力された入力レベルを測定し、測定された入力レベルと予め設定されたレベルとを比較することにより、測定された入力レベルが予め設定されたレベルを超えているかどうかを判断する。
【００３８】
以下に、図１に示した形態におけるシステム起動方法をシーケンス図を参照して説明する。
【００３９】
図３は、図１に示した伝送システムにおけるシステム起動方法を説明するためのシーケンス図である。
【００４０】
まず、光増幅器１０３，１０５，１０７及び光可変減衰器１０４，１０６が起動する。起動後、光増幅器１０３の前段に接続された前段伝送機器から出力された光信号が入力された入力レベルが、光増幅器１０３のレベル比較部１５８にて測定される。測定された入力レベルが予め設定されたレベル（閾値）を超えたと判断されると（ステップＳ１）、光増幅器１０３の選択部１５４にて高速制御部１５１による制御がそれぞれ選択され、高速制御が開始される（ステップＳ２）。
【００４１】
光増幅器１０３の光出力測定部１５６にて、出力される光信号の出力レベルが測定され、出力される光信号の出力レベルが予め設定された目標レベル値に達した（光出力レベルが安定した）と判断されると（ステップＳ３）、出力される光信号に出力制御完了フラグが光増幅器１０３のフラグ挿入部１５７にて挿入され、伝送路１０１を介して光可変減衰器１０４へ出力される（ステップＳ４）。その後、光増幅器１０３の選択部１５４にて光増幅器１０３の定常制御部１５２による制御が選択され、光増幅器１０３の制御方法が高速制御から定常制御へ切り替えられる（ステップＳ５）。
【００４２】
一方、光可変減衰器１０４にて、光増幅器１０３から出力された光信号が入力された入力レベルが、光可変減衰器１０４のレベル比較部１５８にて測定される。測定された入力レベルが予め設定されたレベル（閾値）を超えたと判断されると（ステップＳ６）、光可変減衰器１０４の選択部１５４にて高速制御部１５１による制御がそれぞれ選択され、高速制御が開始される（ステップＳ７）。
【００４３】
また、光増幅器１０３から出力された出力制御完了フラグが光可変減衰器１０４のフラグ抽出部１５３にて抽出されると（ステップＳ８）、光可変減衰器１０４の選択部１５４にて光可変減衰器１０４の定常制御部１５２による制御が選択され、光可変減衰器１０４の制御方法が高速制御から定常制御へ切り替えられる（ステップＳ９）。そして、光可変減衰器１０４の光出力測定部１５６にて出力される光信号の出力レベルの測定が開始される。光可変減衰器１０４の光出力測定部１５６にて、出力される光信号の出力レベルが予め設定された目標レベル値に達した（光出力レベルが安定した）と判断されると（ステップＳ１０）、出力される光信号に出力制御完了フラグが光可変減衰器１０４のフラグ挿入部１５７にて挿入され、光増幅器１０５へ出力される（ステップＳ１１）。
【００４４】
一方、光増幅器１０５にて、光可変減衰器１０４から出力された光信号が入力された入力レベルが、光増幅器１０５のレベル比較部１５８にて測定される。測定された入力レベルが予め設定されたレベル（閾値）を超えたと判断されると（ステップＳ１２）、光増幅器１０５の選択部１５４にて高速制御部１５１による制御がそれぞれ選択され、高速制御が開始される（ステップＳ１３）。
【００４５】
また、光可変減衰器１０４から出力された出力制御完了フラグが光増幅器１０５のフラグ抽出部１５３にて抽出されると（ステップＳ１４）、光増幅器１０５の選択部１５４にて光増幅器１０５の定常制御部１５２による制御が選択され、光増幅器１０５の制御方法が高速制御から定常制御へ切り替えられる（ステップＳ１５）。そして、光増幅器１０５の光出力測定部１５６にて出力される光信号の出力レベルの測定が開始される。光増幅器１０５の光出力測定部１５６にて、出力される光信号の出力レベルが予め設定された目標レベル値に達した（光出力レベルが安定した）と判断されると（ステップＳ１６）、出力される光信号に出力制御完了フラグが光増幅器１０５のフラグ挿入部１５７にて挿入され、伝送路１０２を介して光可変減衰器１０６へ出力される（ステップＳ１７）。
【００４６】
一方、光可変減衰器１０６にて、光増幅器１０５から出力された光信号が入力された入力レベルが、光可変減衰器１０６のレベル比較部１５８にて測定される。測定された入力レベルが予め設定されたレベル（閾値）を超えたと判断されると（ステップＳ１８）、光可変減衰器１０６の選択部１５４にて高速制御部１５１による制御がそれぞれ選択され、高速制御が開始される（ステップＳ１９）。
【００４７】
また、光増幅器１０５から出力された出力制御完了フラグが光可変減衰器１０６のフラグ抽出部１５３にて抽出されると（ステップＳ２０）、光可変減衰器１０６の選択部１５４にて光可変減衰器１０６の定常制御部１５２による制御が選択され、光可変減衰器１０６の制御方法が高速制御から定常制御へ切り替えられる（ステップＳ２１）。そして、光可変減衰器１０６の光出力測定部１５６にて出力される光信号の出力レベルの測定が開始される。光可変減衰器１０６の光出力測定部１５６にて、出力される光信号の出力レベルが予め設定された目標レベル値に達した（光出力レベルが安定した）と判断されると（ステップＳ２２）、出力される光信号に出力制御完了フラグが光可変減衰器１０６のフラグ挿入部１５７にて挿入され、光増幅器１０７へ出力される（ステップＳ２３）。
【００４８】
一方、光増幅器１０７にて、光可変減衰器１０６から出力された光信号が入力された入力レベルが、光増幅器１０７のレベル比較部１５８にて測定される。測定された入力レベルが予め設定されたレベル（閾値）を超えたと判断されると（ステップＳ２４）、光増幅器１０７の選択部１５４にて高速制御部１５１による制御がそれぞれ選択され、高速制御が開始される（ステップＳ２５）。
【００４９】
また、光可変減衰器１０６から出力された出力制御完了フラグが光増幅器１０７のフラグ抽出部１５３にて抽出されると（ステップＳ２６）、光増幅器１０７の選択部１５４にて光増幅器１０７の定常制御部１５２による制御が選択され、光増幅器１０７の制御方法が高速制御から定常制御へ切り替えられる（ステップＳ２７）。そして、光増幅器１０７の光出力測定部１５６にて出力される光信号の出力レベルの測定が開始され、光増幅器１０７の光出力測定部１５６にて、出力される光信号の出力レベルが予め設定された目標レベル値に達した（光出力レベルが安定した）と判断される（ステップＳ２８）。
【００５０】
なお、図３のフローチャートを用いて説明したシステム起動方法では、前段の伝送機器から出力される出力制御完了フラグが抽出されてから、当該伝送機器の出力制御完了フラグが出力されるものであるが、前段の伝送機器から出力される出力制御完了フラグが抽出される前に当該伝送機器の出力制御完了フラグが出力されるものであっても良い。ただし、この場合は、前段の伝送機器から出力された出力制御完了フラグが抽出された際に、抽出された出力制御完了フラグを後段の伝送機器へそのまま出力する必要がある。
【００５１】
また、各機器のフラグ抽出部１５３にて前段から出力された出力制御完了フラグが抽出されるまでは、前段に接続された前段伝送機器から出力された光信号についての異常等の検出による警報通知は行われない。各機器のフラグ抽出部１５３にて前段から出力された出力制御完了フラグが抽出された後、前段から出力された光信号についての異常等の検出による警報通知が行われる。ここで、高速制御とは、定常制御における処理のうち、予め設定された優先順位の低い処理を行わないことにより制御の高速化を実現するものである。例えば、上述した前段伝送機器から出力された異常等の検出による警報通知を行わないことによっても制御が高速となる。
【００５２】
また、各機器がシャットダウンした場合は、自身の出力制御完了フラグの状態を未完了に戻す。
【００５３】
なお、図１に示した光可変減衰器１０４，１０６の代わりに、レベル等価器やラマンアンプ、光スイッチ、波長ブロッカ等を用いるものであっても良い。
【００５４】
また、図１に示した光可変減衰器１０４，１０６が伝送路１０１，１０２の前段にそれぞれ配置されるものであっても良い。
（第２の実施の形態）
伝送システムに用いられる機器には、信号送受信機、光波長多重器、光分波器、光増幅器、光可変減衰器、レベル等価器、ラマンアンプ、光スイッチ、波長ブロッカ等がある。これらを、任意の位置、任意の順番に接続したシステムで適用できる。
【００５５】
図４は、本発明の伝送システムの第２の実施の形態を示す図である。
【００５６】
本形態は図４に示すように、光増幅器４０３，４０４，４０６，４０８と、レベル等価器４０５と、ラマンアンプ４０７との各伝送機器から構成されている。また、光増幅器４０３と光増幅器４０４とが、伝送路４０１を介して接続されている。また、光増幅器４０６とラマンアンプ４０７とが、伝送路４０２を介して接続されている。
【００５７】
光増幅器４０３，４０４，４０８は、前段の機器から出力されて伝送路にて減衰された光信号を増幅し、後段の機器や伝送路へ出力する。
【００５８】
レベル等価器４０５は、上流側より伝送された波長多重信号光の波長毎のパワーの偏差を吸収する。
【００５９】
光増幅器４０６は、レベル等価器４０５で減衰した信号を増幅する。
【００６０】
ラマンアンプ４０７は、直前の伝送路（この場合、伝送路４０２）の区間ロスが、特別大きい場合の信号増幅のために用いられる。
【００６１】
これらの機器間にて第１の実施の形態にて説明した出力制御完了フラグのやりとりが行われる。
（第３の実施の形態）
伝送システムが、リング構成となっている場合も適用可能である。
【００６２】
図５は、本発明の伝送システムの第３の実施の形態を示す図である。
【００６３】
本形態は図５に示すように、送信器５００と、波長多重器５０１と、光増幅器５０２，５０４，５０５，５０７と、波長分波器５０８と、受信器５０９との各伝送機器から構成されている。また、光増幅器５０２と光増幅器５０４とが、伝送路５０３を介して接続されている。また、光増幅器５０５と光増幅器５０７とが、伝送路５０６を介して接続されている。これらの構成要素がリング状に接続されている。
【００６４】
シャットダウン復旧した先頭の機器（この場合、送信器５００）が、最上流となり、下流の機器に出力制御完了フラグが伝送される。自身が出力制御完了フラグを立てた後に、上流から制御完了フラグが一周して戻ってきた場合は、その出力制御完了フラグは無視する。
【００６５】
このように、第１〜第３の実施の形態において、前段の機器から後段の機器に対して、出力制御完了フラグを順次受け渡して、立ち上げ時の高速な出力制御から低速な出力制御への切り替えを実施することにより、シャットダウンから信号導通時での出力レベルの安定化（不要な出力レベルのふらつきの抑止）と、各機器が目的の出力となる時間を短縮化が図れる。さらに、信号導通時の正常に立ち上がり動作に対して、検出を意図しない警報の報告を防止することが可能となる。また、伝送システムの上流側の機器の制御速度が変更となっても、下流側の機器の制御速度や、警報マスク時間の変更が不要となる。
【図面の簡単な説明】
【００６６】
【図１】本発明の伝送システムの第１の実施の形態を示す図である。
【図２】図１に示した光増幅器の内部構成の一例を示す図である。
【図３】図１に示した伝送システムにおけるシステム起動方法を説明するためのシーケンス図である。
【図４】本発明の伝送システムの第２の実施の形態を示す図である。
【図５】本発明の伝送システムの第３の実施の形態を示す図である。
【図６】従来の伝送システムの一例を示す図である。
【符号の説明】
【００６７】
１０１，１０２，４０１，４０２，５０３，５０６    伝送路
１０３，１０５，１０７，４０３，４０４，４０６，４０８，５０２，５０４，５０５，５０７    光増幅器
１０４，１０６    光可変減衰器
１５１    高速制御部
１５２    定常制御部
１５３    フラグ抽出部
１５４    選択部
１５５    光増幅／減衰部
１５６    光出力測定部
１５７    フラグ挿入部
１５８    レベル比較部
４０５    レベル等価器
４０７    ラマンアンプ
５００    送信器
５０１    波長多重器
５０８    波長分波器
５０９    受信器
【図１】
2008205909.tif 000003
【図２】
2008205909.tif 000004
【図３】
2008205909.tif 000005
【図４】
2008205909.tif 000006
【図５】
2008205909.tif 000007
【図６】
2008205909.tif 000008